(57)【要約】【課題】  従来、ハンドレールの外縁に近接する建屋天井等で形成される楔状空間に設けられる保護装置は、乗客のいたずらによりその前縁垂直部が割れる事故が散見され、その破片が落下して周辺部の通行人に危害を与える事故の対策が望まれていた。【解決手段】  この問題を解決するため本発明は、水平路と傾斜路を無端状に連結されて移動するステップ１Ａと、ハンドレール１Ｂ等と、ハンドレール１Ｂの外縁との間に水平間隔ｍを空けて近接する固定体２とで形成される楔状空間Ｑの奥側に、固定体２に固定される固定保護板４と、その手前側にあって固定体２に揺動自在に吊下げられる略台形状の可動保護板７からなる保護装置を備えたものにおいて、固定保護板４と可動保護板７の前縁垂直部Ｓａを、固定保護板４及び可動保護板７の両側面に貼りつけられた数ｃｍ幅を有する保護片４４、７７とで各々三層構成とするなどした保護装置９とした。【選択図】図３
2017088400.tif 000002
【特許請求の範囲】
【請求項１】
水平路と傾斜路を無端状に連結されて移動するステップと、このステップの手すりとなるハンドレールと、このハンドレールの案内路を形成する欄干と、ハンドレールの外縁との間に水平間隔を有して近接する建屋天井等の固定体とで形成される楔状空間の奥側に、固定体に固定される略三角状の固定保護板と、その手前側にあって固定体に揺動自在に吊下げられる略台形状の可動保護板からなる保護装置を備えたものにおいて、前記固定保護板と前記可動保護板の前縁垂直部を、固定保護板及び可動保護板の両側面に貼りつけられた数ｃｍ幅を有する保護片とで各々三層構成としたことを特徴とするエスカレーターの保護装置。
【請求項２】
請求項１において、前記固定保護板を前記固定具に固定するねじ体等を固定保護板の上辺部であって前記保護片の数ｃｍ幅の範囲内に設けたことを特徴とするエスカレーターの保護装置。
【発明の詳細な説明】
【技術分野】
【０００１】  本発明は、水平路から傾斜路に至る人員輸送設備であるエスカレーターのハンドレールと建屋天井等の固定体とで形成される楔状空間において乗客（特にその頭部）を保護するに好適なエスカレーターの保護装置に関する。
【背景技術】
【０００２】  本技術分野の背景技術として、特開２００９−１９０８９３号公報（特許文献１）がある。この公報の図１に楔状空間の奥側の固定体に固定される略三角状の固定保護板と、その手前側にあって固定体に吊下げられた略台形状の可動保護板の構成が記載されている。そして、発明の要旨として固定保護板は垂直辺とでＬ字形をなす閉塞辺を有する一体物の保護装置で人身事故を防止する旨記載されている。
【先行技術文献】
【特許文献】
【０００３】
【特許文献１】特開２００９−１９０８９３号公報
【発明の概要】
【発明が解決しようとする課題】
【０００４】  上記特許文献１に開示された保護装置は、エスカレーターの欄干上端部に設けられ、上昇方向に移動するハンドレールとこのハンドレールの外縁より外に近接する建屋天井等の固定体で形成される楔状空間に、一般にアクリル樹脂材の略三角板と前縁にパイプを組み合わせた通称「三角ガード板」であり、奥側のものを固定保護板、手前側のものを可動保護板と称している。そして、固定保護板は、楔状空間において乗客がハンドレールを超えて外に身を乗り出したり、欄干外側の低い位置まで頭部を下げていた時に発生する挟まれ事故をそれの閉塞辺をもって防止する発明であるが、要点である閉塞辺がもたらす効果以前の問題として、保護板前縁部の割れと、その破片の落下による危害が顕在化している。【０００５】  固定保護板の前縁垂直部の割れについて、従来構成を示した図５を用いて詳述すると、建屋天井等の固定体Ｔに対して後述するねじ体３で固設されたエスカレーター外側の固定具Ｋ１と、エスカレーター内側の固定具Ｋ２及びねじＫ３によって、三角板Ｓ１と、これの前縁垂直部に接合されたパイプＳ２で構成される固定保護板Ｓを配置してある。ここで、パイプＳ２は、従来のものは割れやすい材質とされているものの建設省告示（第１４１７号やその解説）に従って樹脂製パイプを使用するのが一般的であった。このような構成において、固定保護板Ｓに対していたずらを仕掛ける（図１の下端部を強く揺することで発生するようである）乗客によって三角板Ｓ１が想像線Ｘのように斜め方向に割られ（そのほとんどが４５°方向に割れる）、破片が落下してエスカレーター周囲の通行人を負傷させる事例が問題視されていた。さらに、図１に示した可動保護板前縁部の割れについて説明する。この可動保護板の前縁垂直部にも図５に示したパイプＳ２同様、樹脂製のパイプ（アクリルなど）を使用している。この場合、全体が揺動自在の吊下げ構造であるために、乗客が強く揺すると前縁垂直部であるパイプが欄干に衝突して破損し、破片が落下する事故が発生している。このため、固定保護板、可動保護板（特に前縁垂直部のパイプ）が破損し難く、かつ万一破損した場合でも落下しない安全な構成とすることが望まれていた。【０００６】  本発明は、かかる問題を解消するためになされたものであり、破損および落下防止に効果的な固定保護板と可動保護板で構成されるエスカレーターの保護装置を提供するためになされたものである。
【課題を解決するための手段】
【０００７】  本発明は、上記目的を達成するために、請求項１は水平路と傾斜路を無端状に連結されて移動するステップと、このステップの手すりとなるハンドレールと、このハンドレールの案内路を形成する欄干と、ハンドレールの外縁との間に水平間隔を有して近接する建屋天井等の固定体とで形成される楔状空間の奥側に、固定体に固定される略三角状の固定保護板と、その手前側にあって固定体に揺動自在に吊下げられる略台形状の可動保護板からなる保護装置を備えたものにおいて、前記固定保護板と前記可動保護板の前縁垂直部を、固定保護板及び可動保護板の両側面に貼りつけられた数ｃｍ幅を有する保護片とで各々三層構成のエスカレーターの保護装置としたのである。【０００８】  また、請求項２は前記固定保護板を前記固定具に固定するねじ体等を前記保護片の数ｃｍ幅の範囲内に設けたエスカレーターの保護装置としたのである。
【発明の効果】
【０００９】  上記請求項１の構成によれば、固定保護板と可動保護板の前縁垂直部が、従来の樹脂製パイプではなく、各保護板とそれらの両側面に貼りつけられた数ｃｍ幅を有する保護片とで各々三層構成となるので、破損し難い堅牢な保護装置を提供することができる。また、上記請求項２の構成によれば、固定保護板を固定体に固定するねじ体等を、保護片の数ｃｍ幅の範囲内にあって割れが発生し難い部位に設けてあるので、固定保護板の固定がより強固となり、さらに両保護板によって構成される保護装置の外観的意匠も統一される利点がある。
【図面の簡単な説明】
【００１０】
【図１】本発明の一実施形態を示す部分側面図である。
【図２】本発明の図１のＡ−Ａ線に沿う部分断面図である。
【図３】本発明の図１のＢ−Ｂ線に沿う部分断面図である。
【図４】本発明の図２の要部を示す部分断面斜視図である。
【図５】従来の実施例を示す図４相当の部分断面斜視図である。
【発明を実施するための形態】
【００１１】  以下、本発明によるエスカレーターの保護装置の一実施形態を図に基づいて説明する。
【００１２】  図１、図２において、本発明の対象となるエスカレーター１は乗降口がある水平路から傾斜路を無端状に連結されて移動する多数のステップ１Ａと、このステップ１Ａの手すりとなるハンドレール１Ｂと、このハンドレール１Ｂの案内路を形成する欄干パネル１Ｃ、欄干デッキ１Ｄ等からなる欄干１Ｅを備えている。そして、ハンドレール１Ｂの外縁との間に水平間隔ｍを空けて位置し、ハンドレール１Ｂとは傾斜角度が異なる建屋天井等の固定体２とで形成される楔状空間Ｑの奥側には、その一辺が固定体２の底面にねじ体３で固定され、他の一辺がハンドレール１Ｂよりも下方に至る略三角状の固定保護板４が配置され、その裏面側には、固定保護板４の水平方向長さと同等の長さを有する略Ｌ字状の固定具５Ａが設けられている。また、固定保護板４の表面側（エスカレーター１側）には、固定保護板４の水平方向長さと同等の長さを有する平板状の固定具５Ｂが設けられ、横方向から固定具５Ｂ、固定保護板４及び固定具５Ａを貫通してこれら３部材を締め付けるねじ体５Ｃ（ナット類は図示省略）で固定されている。ここで、固定保護板４は外見的にエスカレーター１の傾斜角（通常３０°）に沿ってハンドレール１Ｂの上面よりも下方に重なり代ｎを有する斜辺部４ａと建屋天井等の底面に沿う上辺部４ｂからなる板厚６ｍｍ程度の略三角状をなしている。さらに、固定保護板４の手前側にはハンドレール１Ｂの外縁との間に水平間隔ｍを空けて、その上辺部７ａが固定体２に揺動自在なチェン８で吊下げられ、その下辺部７ｂがハンドレール１Ｂの上面よりも下方に固定保護板４と同様重なり代ｎを有する板厚６ｍｍ程度の略台形状の可動保護板７を備えて前記固定保護板４と固定具５Ａ等及び可動保護板７とで全体として保護装置９を構成している。ここで、固定保護板４及び可動保護板７で共通しているのは、図３に示すようにそれらを構成する略三角状の板及び略台形状の板の前縁垂直部Ｓａに、各々の両側面に接着剤で貼りつけられた数ｃｍ幅Ｗａを有する保護片４４、７７を備えていることである。なお、「数ｃｍ幅Ｗａ」は例えば「５ｃｍ」程度、板厚ｔは６ｍｍ程度であり、その先端部ＳＳには丸み加工を施して衝突する頭部等を保護する配慮をしている。加えて、固定保護板４はその上辺部４ｂ部分であって保護片４４の幅Ｗａの範囲内で固定保護板４を固定具５Ａと５Ｂで挟んで固定するねじ体５Ｃで固設されている。この構成によれば、固定保護板４は固定具５Ａと５Ｂでその全長が補強される形となるので、ステップ１Ａ側と反ステップ１Ａ側に強く振られても割れにくく、万一前縁垂直部が図５のように割れてもねじ体５Ｃの固定作用により、前縁垂直部Ｓａが落下する可能性は極めて低い。
【００１３】  なお、本発明の固定保護板４、可動保護板７及び保護片４４等の材質は発明者らが実験した結果から、従来のアクリル樹脂材に代えて、メタクリル酸メチルエステル系合成樹脂材（例えば、三菱レイヨン社製では商品名が「アクリライトＲＩＲ」）を推奨しておきたい。これにより割れやすさを左右する例えば引張り強さ、曲げ強さ（いずれも単位：ＭＰａ）値が高く、素材の時点で割れ難くできる効果がある。
【００１４】  以上、本発明は各図で言及したように、図４の例ではねじ体３、５Ｃ、固定保護板４、保護片４４、固定具５Ａ、５Ｂで保護装置６を構成し、これと可動保護板７、チェン８等で全体として保護装置９を構成するものである。
【産業上の利用可能性】
【００１５】  本実施形態によれば、総体的に破損し難く、安全なエスカレーターの保護装置を提供することができる。なお、本発明は傾斜路を有する動く歩動にも適用できる構成である。
【符号の説明】
【００１６】１  エスカレーター
１Ａ  ステップ
１Ｂ  ハンドレール
１Ｅ  欄干
２  固定体
３、５Ｃ  ねじ体
４  固定保護板
４ｂ  上辺部
５Ａ、５Ｂ  固定具
６、９  保護装置
７  可動保護板
４４、７７  保護片
Ｑ  楔状空間
【図１】
2017088400.tif 000003
【図２】
2017088400.tif 000004
【図３】
2017088400.tif 000005
【図４】
2017088400.tif 000006
【図５】
2017088400.tif 000007